(57)【特許請求の範囲】
【請求項１】
固定接点と当該固定接点に対向して接離自在な可動接点とが収納されたケースと、前記固定接点と前記可動接点を覆うように前記ケースに設けられた防水シートと、前記ケースにスライド移動自在に組み込まれた操作ツマミとを備え、前記操作ツマミのスライド移動により前記固定接点と前記可動接点との導通状態が切り換えられるスライドスイッチであって、
前記ケースにおいて、前記防水シートの内側に設けられ前記可動接点を駆動する第１駆動体と、
前記ケースにおいて、前記防水シートの外側に設けられ前記防水シートを介して前記第１駆動体を駆動する第２駆動体と、
を有し、
前記第１駆動体は、前記ケースに回動自在に支持された軸部と、前記第２駆動体によって押圧される被押圧部と、前記軸部に対して前記被押圧部よりも離れた位置に設けられ前記可動接点を駆動する作用部とを有し、
前記第２駆動体は、先端が前記防水シート上を摺動自在となるように基端が前記操作ツマミに取り付けられ、前記操作ツマミのスライド移動操作により、前記第２駆動体の先端が前記防水シートを介して前記第１駆動体の被押圧部を押圧して、前記第１駆動体が回転させられるとともに、前記第１駆動体の作用部が駆動させられることにより、前記可動接点と前記固定接点との導通状態が切り換えられることを特徴とするスライドスイッチ。
【請求項２】
前記第２駆動体は、前記ケースに設けられた弾性腕部によって前記第１駆動体の方向に付勢されていることを特徴とする請求項１に記載のスライドスイッチ。
【請求項３】
前記弾性腕部には、前記第２駆動体と当接する押圧部が設けられており、前記押圧部が前記第１駆動体の上方に位置していることを特徴とする請求項２に記載のスライドスイッチ。
【請求項４】
前記弾性腕部は、前記ケースを構成する蓋部材に設けられていることを特徴とする請求項２または請求項３に記載のスライドスイッチ。
【請求項５】
前記第１駆動体の被押圧部は、前記軸部の軸心を挟んで前記作用部側に位置している第１被押圧部と前記作用部の反対側に位置している第２被押圧部を有し、
前記第２駆動体の先端が前記第２被押圧部上に位置しているとき、前記作用部は前記可動接点の非駆動位置に退避され、前記第２駆動体の先端が前記第１被押圧部上に位置しているとき、前記第１駆動体の作用部が前記可動接点を駆動していることを特徴とする請求項１〜請求項４のいずれかに記載のスライドスイッチ。
【請求項６】
前記第２駆動体は、前記基端から前記操作ツマミのスライド移動方向に沿うように延出した延出部を備え、前記第１駆動体の作用部は、前記第１駆動体の軸部と前記第２駆動体の基端との間の位置において、前記延出部の下方に設けられていることを特徴とする請求項１〜請求項５のいずれかに記載のスライドスイッチ。
【請求項７】
前記第２駆動体の基端には、前記操作ツマミに回動自在に組み付けられた軸部が設けられていることを特徴とする請求項１〜請求項６のいずれかに記載のスライドスイッチ。
【請求項８】
前記操作ツマミには、上方が開放された軸受部を有し、前記軸受部に前記第２駆動体の軸部が回動自在に組み込まれ、前記軸受部の開放側が前記ケースを構成する蓋部材に覆われていることを特徴とする請求項７に記載のスライドスイッチ。
【請求項９】
前記可動接点には、前記固定接点側に延びる弾性を有する接続端子部を有し、前記第１駆動体の作用部が前記可動接点を駆動していないときには、前記接続端子部が前記固定接点と当接しており、前記第１駆動体の作用部が前記可動接点を駆動しているときには、前記接続端子部が前記固定接点から離れていることを特徴とする請求項１〜請求項８のいずれかに記載のスライドスイッチ。
【発明の詳細な説明】
【技術分野】
【０００１】
本発明は、電子機器のモード切換スイッチ等に適用されるスライドスイッチに関し、特に防水性を備えたスライドスイッチに関するものである。
【背景技術】
【０００２】
従来、防水性を備えたスライドスイッチとして、特許文献１に開示されたものが知られている。
特許文献１に開示されたスライドスイッチは、基板上に設けられた固定接点と、前記基板上に配置され前記固定接点に対応する開口が設けられたスペーサと、前記固定接点と対向するように前記開口に配置された舌片部を有する可動接点と、前記可動接点と上記スペーサを覆う防水機能を有する弾性シートと、前記弾性シート上を摺動し、前記可動接点の舌片部を加圧して前記固定接点と上記舌片部を接触させるダボを有するツマミにより構成されている。
そして、前記ツマミのスライド操作により、前記ダボを前記弾性シート上で摺動させ、そして押圧することにより、前記固定接点と前記可動接点の導通状態を切り替える構成となっている。
【先行技術文献】
【特許文献】
【０００３】
【特許文献１】特開平２−２１０７２８号公報
【発明の概要】
【発明が解決しようとする課題】
【０００４】
ところで、上記従来のスライドスイッチによれば、ツマミのダボが、弾性シートを介して可動接点の舌片部を押し込み加圧し、可動接点を駆動させたとき、弾性シートが大きく変形させられる。このスライドスイッチの駆動操作を繰り返し行うと、弾性シートが疲労して、最悪の場合、弾性シートが破れてしまい、防水性を確保することができない恐れがある。
【０００５】
本発明はかかる事情に鑑みてなされたものであり、その目的は、長期間にわたって防水性を確保できるスライドスイッチを提供することにある。
【課題を解決するための手段】
【０００６】
上記の目的を達成するために、本発明に係るスライドスイッチは、固定接点と当該固定接点に対向して接離自在な可動接点とが収納されたケースと、前記固定接点と前記可動接点を覆うように前記ケースに設けられた防水シートと、前記ケースにスライド移動自在に組み込まれた操作ツマミとを備え、前記操作ツマミのスライド移動により前記固定接点と前記可動接点との導通状態が切り換えられるスライドスイッチであって、前記ケースにおいて、前記防水シートの内側に設けられ前記可動接点を駆動する第１駆動体と、前記ケースにおいて、前記防水シートの外側に設けられ前記防水シートを介して前記第１駆動体を駆動する第２駆動体とを有し、前記第１駆動体は、前記ケースに回動自在に支持された軸部と、前記第２駆動体によって押圧される被押圧部と、前記軸部に対して前記被押圧部よりも離れた位置に設けられ前記可動接点を駆動する作用部とを有し、前記第２駆動体は、先端が前記防水シート上を摺動自在となるように基端が前記操作ツマミに取り付けられ、前記操作ツマミのスライド移動操作により、前記第２駆動体の先端が前記防水シートを介して前記第１駆動体の被押圧部を押圧して、前記第１駆動体が回転させられるとともに、前記第１駆動体の作用部が駆動させられることにより、前記可動接点と前記固定接点との導通状態が切り換えられることを特徴とする。
【０００７】
このような構成によれば、可動接点を駆動する第１駆動体の作用部が、被押圧部よりも軸部に対して離れているので、第２駆動体の先端が防水シートを変形させる量（ストローク）を小さくすることできる。したがって、スライドスイッチのスライド移動操作を繰り返し行い、第２駆動体を防水シート上で摺動させても、防水シートの疲労を抑制することができる。よって、防水シートが破損しにくくなり、長期間にわたって、スライドスイッチの防水性を確保することができる。
【０００８】
好適には、前記第２駆動体は、前記ケースに設けられた弾性腕部によって前記第１駆動体の方向に付勢されていることを特徴とする。
このような構成によれば、弾性腕部により、第２駆動体が第１駆動体を確実に駆動することができる。
【０００９】
好適には、前記弾性腕部には、前記第２駆動体と当接する押圧部が設けられており、前記押圧部が前記第１駆動体の上方に位置していることを特徴とする。
このような構成によれば、弾性腕部の付勢力を確実に第１駆動体に作用させて、固定接点と可動接点との導通状態を切り換えることができる。
【００１０】
好適には、前記弾性腕部は、前記ケースを構成する蓋部材に設けられていることを特徴とする。
このような構成によれば、蓋部材の一部を切り起こすだけで弾性腕部を形成することができ、弾性腕部として別部材を使用する必要はなく、部品点数の削減を図ることができる。
【００１１】
好適には、前記第１駆動体の被押圧部は、前記軸部の軸心を挟んで前記作用部側に位置している第１被押圧部と前記作用部の反対側に位置している第２被押圧部を有し、前記第２駆動体の先端が前記第２被押圧部上に位置しているとき、前記作用部は前記可動接点の非駆動位置に退避され、前記第２駆動体の先端が前記第１被押圧部上に位置しているとき、前記第１駆動体の作用部が前記可動接点を駆動していることを特徴とする。
このような構成によれば、操作ツマミのスライド移動に伴って、第２駆動体の先端が、第１駆動体の回動中心を挟んだ一方側と他方側を押圧するので、固定接点と可動接点との導通状態を確実に切り換えることができる。
【００１２】
好適には、前記第２駆動体は、前記基端から前記操作ツマミのスライド移動方向に沿うように延出した延出部を備え、前記第１駆動体の作用部は、前記第１駆動体の軸部と前記第２駆動体の基端との間の位置において、前記延出部の下方に設けられていることを特徴とする。
このような構成によれば、第１駆動体の作用部と第２駆動体の延出部とがオーバーラップするように配置されるので、操作ツマミのスライド移動方向における寸法が大きくなるのを抑制できる。
【００１３】
好適には、前記第２駆動体の基端には、前記操作ツマミに回動自在に組み付けられた軸部が設けられていることを特徴とする。
このような構成によれば、第２駆動体に第１駆動体側への付勢力が加わったとき、第２駆動体の先端側には、軸部の軸心を中心として、第１駆動体を押圧する方向に力が加わる。したがって、第２駆動体に加えられた付勢力を第１駆動体に十分に作用させることができる。
【００１４】
好適には、前記操作ツマミには、上方が開放された軸受部を有し、前記軸受部に前記第２駆動体の軸部が回動自在に組み込まれ、前記軸受部の開放側が前記ケースを構成する蓋部材に覆われていることを特徴とする。
このような構成によれば、第２駆動体の軸部を上方から軸受部に嵌合させることができ、組立作業が良好なものとなる。
【００１５】
好適には、前記可動接点には、前記固定接点側に延びる弾性を有する接続端子部を有し、前記第１駆動体の作用部が前記可動接点を駆動していないときには、前記接続端子部が前記固定接点と当接しており、前記第１駆動体の作用部が前記可動接点を駆動しているときには、前記接続端子部が前記固定接点から離れていることを特徴とする。
このような構成によれば、第１駆動体が可動接点を駆動しているときは、可動接点が固定接点と離間しているので、この状態で電子機器に振動等が加えられても、接触不良を起こすことが無く、信頼性を向上させることができる。
【発明の効果】
【００１６】
本発明によれば、長期間にわたって防水性を確保できるスライドスイッチを提供することができる。
【図面の簡単な説明】
【００１７】
【図１】本発明の実施形態に係るスライドスイッチの斜視図である。
【図２】スライドスイッチの構成部品の分解斜視図である。
【図３】スライドスイッチの主要構成部品の分解斜視図である。
【図４】スライドスイッチのオン状態を模式的に示した縦断面図である。
【図５】固定接点と可動接点の分解斜視図である。
【図６】ケース本体にスライドスイッチの主要構成部品を組み込んだ状態を示す平面図である。
【図７】スライドスイッチのオフ状態を模式的に示す縦断面図である。
【発明を実施するための形態】
【００１８】
以下、図面を参照して、本発明の実施形態に係るスライドスイッチについて詳細に説明する。
図１は、本発明の実施形態に係るスライドスイッチの斜視図であり、スライドスイッチがオフ状態のときの位置に置かれている図である。図２は、スライドスイッチの構成部品の分解斜視図である。図３は、スライドスイッチの主要構成部品の分解斜視図であり、第１駆動体、第２駆動体及び固定接点を分解した状態を示す図である。図４は、スライドスイッチのオン状態を模式的に示した縦断面図である。図５は、固定接点と可動接点の分解斜視図である。図６は、ケース本体にスライドスイッチの主要構成部品を組み込んだ状態を示す平面図であり、操作ツマミはスライドスイッチがオフ状態のときの位置に置かれている図である。
【００１９】
スライドスイッチ１は、小型の電子機器の電気回路のオン・オフ動作を切換えるモード切換スイッチとして使用される。
スライドスイッチ１は、ケース本体２と蓋部材３を有するケース４と、ケース本体２内に収納された固定接点５と、固定接点５と接離自在に対向して配置された可動接点６と、固定接点５と可動接点６を覆うようにケース本体２内に設けられた防水シート７と、ケース本体２にスライド移動操作自在に組み込まれ可動接点６を駆動する操作ツマミ８を備えている。
【００２０】
ケース本体２は、底板部２０を備えた箱型の形状をなし、合成樹脂により成形されている。ケース本体２の上方側には開口部２１が形成されており、開口部２１より操作ツマミ８等のスライドスイッチ１の構成部品が組み込まれるようになっている。ケース本体２の開口部２１は蓋部材３により蓋閉めされている。
図２に示すように、固定接点５は互いに電気的に接続された第１固定接点部９と第２固定接点部１０より構成されている。
【００２１】
第１固定接点部９は、略コ字状に形成されており、ケース本体２の底板部２０にインサート成形により水平に組み込まれている。第１固定接点部９には所定間隔をおいて対向する一対の側片部９Ａ、９Ａを有している。第１固定接点部９の側片部９Ａ、９Ａは基端にて連結され、基端には外部の電気回路に接続される一対の第１ターミナル部９Ｂ、９Ｂが外方に張り出すように形成されている。第１ターミナル部９Ｂ、９Ｂは、その先端９ｂ、９ｂがケース本体２の側面から外部に露出するようにケース本体２内に組み込まれている。
【００２２】
第２固定接点部１０は略四角形状に形成されており、四隅部には第２固定接点部１０をケース本体２に位置決めするための位置決め片部１０Ａ、１０Ａ、１０Ａ、１０Ａがそれぞれ設けられている。各位置決め片部１０Ａには絶縁材１０Ｂがインサート成形により取り付けられている。ケース本体２の底板部２０には位置決め片部１０Ａを受け止め支持するための受け止め用突起２０Ａが四本突出形成されている。位置決め片部１０Ａが絶縁材１０Ｂを介して受け止め用突起２０Ａ上に設置されることにより、第２固定接点部１０は第１固定接点部９の両側片部９Ａ、９Ａを跨ぐようにケース本体２の底板部２０に位置決めされている。なお、絶縁材１０Ｂは接着剤等によって、受け止め用突起２０Ａに固定されている。
【００２３】
図３に示すように、第２固定接点部１０の対向する両側には、一対の接続端子部１０Ｃ、１０Ｃが突出形成されている。各接続端子部１０Ｃ、１０Ｃは、下方に折り曲げられ先端は第１固定接点部９の両側片部９Ａ、９Ａ上に付勢力をもって接触されている。したがって、第１固定接点部９と第２固定接点部１０は接続端子部１０Ｃを介して電気的に接続された状態となっている。
【００２４】
可動接点６は、略Ｔ字状に形成されており、ケース本体２の底板部２０にインサート成形により水平に組み込まれている。
可動接点６の基端には外部の電気回路に接続される一対の第２ターミナル部６Ａ、６Ａが外方に張り出すように形成されており、第２ターミナル部６Ａ、６Ａは、その先端６ａ、６ａがケース本体２の側面から外部に露出するようにケース本体２内に組み込まれている。
【００２５】
図５に示すように、可動接点６には第１固定接点部９の側片部９Ａ、９Ａ間に位置するとともに、第２固定接点部１０の下方に所定の空間をおいて位置するように、中央端子部６Ｂが設けられている。中央端子部６Ｂには弾性を有する舌状の接続端子部６Ｃが形成されている。接続端子部６Ｃは二股に分割形成され、先端が第２固定端子部１０側に突出するように中央端子部６Ｂから切り起こし形成されている。
【００２６】
図４に示すスライドスイッチ１がオン状態のとき、可動接点６の接続端子部６Ｃの先端は接続端子部６Ｃ自体が持つ付勢力をもって第２固定接点部１０に接触（弾接）し、可動接点６と第２固定接点部１０（固定接点５）は電気的に接続される状態になる。
このように、可動接点６の接続端子部６Ｃが付勢力をもって第２固定接点部１０に接触しているので、可動接点６と固定接点５の電気的接続状態は安定したものとなっている。
【００２７】
防水シート７は、例えばポリイミドからなり、矩形状に形成されている。防水シート７は固定接点５と可動接点６を覆うようにケース本体２の開口部２１側からケース本体２内に組み込まれ、ケース本体２の底板部２０に設けられ固定接点５と可動接点６を収納する接点収納部２２の縁部２２Ａに設置され取り付けられている。したがって、固定接点５と可動接点６を収納した接点収納部２２は防水シート７により、密閉された状態となり、防水性は確保される。また、防水シート７は防水機能のみならず絶縁機能も兼ね備えている。なお、防水シート７の下面には、少なくとも固定接点５および可動接点６を囲むように形成された縁部２２Ａに対応して粘着剤が設けられており、この粘着剤によって防水シート７は縁部２２Ａに貼り付けられている。
【００２８】
操作ツマミ８は、合成樹脂により成形され、ケース本体２の底板部２０に設けられたツマミ収納部２３内に組み込まれている。操作ツマミ８は、ツマミ収納部２３内で接点収納部２２側に位置する前方側壁２３Ａの位置と後方側壁２３Ｂの位置との間でスライド自在となっている。
【００２９】
操作ツマミ８が前方側壁２３Ａに当接しているとき、スライドスイッチ１はオン状態となり、操作ツマミ８が後方側壁２３Ｂに当接しているとき、スライドスイッチ１はオフ状態となる。
【００３０】
ケース本体２の接点収納部２２内には、可動接点６を駆動する第１駆動体３０が収納されている。
第１駆動体３０の基端側の両側部に軸部３１、３１が突出形成されるとともに先端側には可動接点６を駆動するための作用部３２が突出形成されている。
図４に示すように、第１駆動体３１の作用部３２は可動接点６の接続端子部６Ｃを押圧する位置に配置されている。第１駆動体３０の軸部３１、３１は接点収納部２２の前方側（図６中右側）に設けられ上方が開放された軸受部２２Ｂ、２２Ｂに回動自在に嵌合されている。
【００３１】
このような構成によれば、第１駆動体３０をケース本体２の開口部２１側、すなわち上方から組み込み可能であるとともに、軸部３１、３１を上方から軸受部２２Ｂ、２２Ｂに嵌合させることができ、組立作業が良好なものとなる。
【００３２】
第１駆動体３０は、先端側に形成された作用部３２が第２固定接点部１０に形成された切り欠き部１０Ｄ内に位置するとともに作用部３２が可動接点６の接続端子部６Ｃの上方に位置するようにケース本体２の接点収納部２２内に組み込まれている。
図４に示すように、第１駆動体３０の上面には後述する第２駆動体４０の押圧突起部４１によって押圧される被押圧部３３が形成されている。被押圧部３３は軸部３１の軸心を間に挟み作用部３２側に形成された第１被押圧部３３Ａと反対側に形成された第２被押圧部３３Ｂを有している。なお、作用部３２は、軸部３１の軸心に対して、第１被押圧部３３Ａよりも離れた位置に設けられている。また、作用部３２は、軸部３１の軸心に対して、第２被押圧部３３Ｂよりも離れた位置に設けられたものとなっている。
【００３３】
第１駆動体３０を駆動する第２駆動体４０は、防水シート７の上方側、すなわち接点収納部２２の外側に設けられている。第２駆動体４０の基端側の両側部には軸部４２、４２が突出形成されるとともに基端側から操作ツマミ８のスライド移動方向に沿うように延出部４３が形成されている。第１駆動体３０の作用部３２は、第１駆動体３０の軸部３１と前記第２駆動体４０の軸部４２との間の位置において、延出部４３の下方に設けられた構成となっている。
【００３４】
このような構成によれば、第１駆動体３０の作用部３２と第２駆動体４０の延出部４３とがオーバーラップするように配置されているので、操作ツマミ８のスライド移動方向における寸法が大きくなることを抑制でき、寸法を小さくすることができる。したがって、小型の電子機器に好適なものとなる。
【００３５】
第２駆動体４０の先端側には、防水シート７上を摺動して第１駆動体３０を押圧するための断面が円弧形状の押圧突起部４１が形成されている。第２駆動体４０の軸部４２、４２は操作ツマミ８に設けられ上方が開放された軸受部８Ａ、８Ａに回動自在となるように嵌合されている。
【００３６】
このような構成によれば、第２駆動体４０をケース本体２の開口部２１側から、すなわち上方から組み込み可能であるとともに、軸部４２、４２を上方から軸受部８Ａ、８Ａに嵌合させることができ、組立作業が良好なものとなる。
【００３７】
第２駆動体４０の押圧突起部４１が第２被押圧部３３Ｂ上に位置しているとき、第１駆動体３０の作用部３２は可動接点６の接続端子部６Ｃから離れ、非駆動位置に退避している（図４を参照）。第２駆動体４０の押圧突起部４１が第１被押圧部３３Ａ上に位置するとき、第１駆動体３０の作用部３２が可動接点６の接続端子部６Ｃを付勢力に抗して押し下げ駆動している（図７を参照）。
【００３８】
このような構成によれば、操作ツマミ８のスライド移動操作に伴って、第２駆動体４０の押圧突起部４１が、第１駆動体３０の軸部３１の軸心を間に挟んだ一方側（第１被押圧部３３Ａ）と他方側（第２被押圧部３３Ｂ）を後述する弾性腕部３Ｂの付勢力を受けて押圧するので、固定接点５と可動接点６との導通状態を確実に切り換えることができる。また、押圧突起部４１は断面が円弧形状となっているので、防水シート７上を摺動する際の抵抗を小さくすることができる。
【００３９】
ケース本体２の開口部２１を蓋閉めする蓋部材３は板金により矩形状に形成されている。蓋部材３において、操作ツマミ８が位置する部分には操作ツマミ８の操作部である先端８Ｂが外部に突出するように開口部３Ａが形成されている。蓋部材３は、ケース本体２と一体化されて、ケース本体２とともに、ケース４を構成している。具体的には、蓋部材３に形成された複数の孔に、ケース本体２の複数の突起が挿通されて、その先端が熱かしめ等の手段でつぶされることによって、蓋部材３とケース本体２とは一体化されている。
【００４０】
蓋部材３において、第２駆動体４０が位置する部分には第２駆動体４０を押圧するための弾性腕部３Ｂが設けられている。弾性腕部３Ｂは蓋部材３の一部を切り起こすことにより形成されている。弾性腕部３Ｂの先端には第２駆動体４０の延出部４３に当接し押圧する押圧部である押圧突片部３ｂが湾曲形成されている。また、押圧突片部３ｂは第１駆動体３０の上方に位置する構成となっている。
【００４１】
このように第２駆動体４０は弾性腕部３Ｂの付勢力によって第１駆動体３０側に押圧されているので、第１駆動体３０を確実に駆動することができる。また、押圧突片部３ｂは第１駆動体３０の上方に位置する構成となっているので、弾性腕部３Ｂの付勢力を確実に第１駆動体３０に作用させて、固定接点５と可動接点６の導通状態の切り換えを行うことができる。
【００４２】
また、第２駆動体４０は軸部４２、４２が操作ツマミ８の軸受部８Ａ、８Ａで回動自在に支持されているので、第２駆動体４０に弾性腕部３Ｂの付勢力が加わったとき、第２駆動体４０の先端側には、軸部４２の軸心を中心として、第１駆動体３０を押圧する方向に力が加わる。したがって、弾性腕部３Ｂの付勢力を押圧突起部４１を介して第１駆動体３０に十分に作用させることができる。
【００４３】
また、押圧突片部３ｂが湾曲形成されているので、第２駆動体４０が駆動し、押圧突片部３ｂが第２駆動体４０の接触面で摺動したときでも、押圧突片部３ｂの摺動抵抗は小さく、押圧突片部３ｂを滑らかに摺接させることができる。
【００４４】
また、弾性腕部３Ｂは、蓋部材３の一部を切り起こすだけで形成することができ、弾性腕部３Ｂとして別部材を使用する必要はなく、部品点数の削減を図ることができる。
【００４５】
次に、図４及び図７を参照して、スライドスイッチの作用について説明する。図４はスライドスイッチのオン状態を模式的に示す縦断面図である。図７はスライドスイッチのオフ状態を模式的に示す縦断面図である。
スライドスイッチ１がオン状態のとき、操作ツマミ８はツマミ収納部２３の前方側壁２３Ａに当接あるいは近接している。このとき、第２駆動体４０の押圧突起部４１は、図４に示すように、弾性腕部３Ｂの付勢力を受けて防水シート７を介して第１駆動体３０の第２被押圧部３３Ｂを押圧している。第２駆動体４０の押圧突起部４１が第１駆動体３０の第２被押圧部３３Ｂを押圧することにより、第１駆動体３０は軸部３１の軸心を中心として、図４中矢印Ａ方向に回転させられており、第１駆動体３０は、作用部３２が可動接点６の接続端子部６Ｃから離れた位置（非駆動位置）に支持されている。
【００４６】
図４に示すスライドスイッチ１のオン状態からスライドスイッチ１をオフ状態に切り換えるときは、操作ツマミ８をスライド操作し、操作ツマミ８をツマミ収納部２３の後方側壁２３Ｂに当接あるいは近接させる。このとき、第２駆動体４０は操作ツマミ８とともに図７中左方向に引き込まれる。そうすると、第２駆動体４０の押圧突起部４１は防水シート７上を摺動し、図７に示すように防水シート７を撓ませながら、第２被押圧部３３Ｂから第１被押圧部３３Ａに移動する。このとき、第１駆動体３０は図７中矢印Ｂ方向に回転し、可動接点６の接続端子部６Ｃが作用部３２によって押し下げられる。そうすると、可動接点６の接続端子部６Ｃと第２固定接点部１０との接触状態は解かれ、固定接点５と可動接点６との導通がオフ状態に切り換えられる。
【００４７】
なお、スライドスイッチ１がオフ状態のとき、第２駆動体４０の押圧突起部４１は第１被押圧部３３Ａを押圧し、可動接点６の接続端子部６Ｃを押し下げ、第１駆動体３０を可動接点６の接続端子部６Ｃと第２固定接点部１０が離間する位置に支持している。したがって、この状態で電子機器に振動が加えられても固定接点５と可動接点６の接触不良を起こすことは無く、スライドスイッチ１の信頼性を向上させることができる。
【００４８】
このように、本実施形態によれば、操作ツマミ８のスライド移動操作により、第２駆動体４０が防水シート７を介して第１駆動体３０を駆動することにより、固定接点５と可動接点６との導通状態を切り換えることができる。
そして、可動接点６を駆動する第１駆動体３０の作用部３２が、第１被押圧部３３Ａよりも軸部３１から離れているので、第２駆動体４０の押圧突起部４１が防水シート７を変形させる量（ストローク）を小さくできる。したがって、スライドスイッチ１のスライド移動操作を繰り返し行い、第２駆動体４０の押圧突起部４１を防水シート７上で繰り返し摺動させても、防水シート７の疲労を抑制することができる。よって、防水シート７が破損しにくくなり、長期間にわたって、スライドスイッチ１の防水性を確保することができる。
【００４９】
本発明は上述した実施形態には限定されない。すなわち、当業者は、本発明の技術的範囲またはその均等の範囲内において、上述した実施形態の構成要素に関し、様々な変更、コンビネーション、サブコンビネーション、並びに代替を行ってもよい。
【００５０】
本実施形態では、第２駆動体４０が操作ツマミ８に回動自在に取り付けられているが、本発明は第２の駆動体４０は操作ツマミ８と一体に成形されたものであっても良い。
【００５１】
また、本実施形態では、弾性腕部３Ｂが蓋部材３を切り起こすことにより形成されたものであるが、本発明は第２駆動体自体に弾性力を持たせ、第１駆動体を押圧する構成のものであっても良い。
【００５２】
また、本実施形態では、弾性腕部３Ｂは蓋部材３を切り起こし形成されたものであるが、本発明の弾性腕部は、蓋部材３とは別部材で構成されているものであってもよく、例えば圧縮コイルばね等であっても良い。
【産業上の利用可能性】
【００５３】
本発明は、防止性を備えたスイッチに適用可能である。
【符号の説明】
【００５４】
１・・・・・・・・・スライドスイッチ
２・・・・・・・・・ケース本体
３・・・・・・・・・蓋部材
３Ｂ・・・・・・・・弾性腕部
３ｂ・・・・・・・・押圧突片部（押圧部）
４・・・・・・・・・ケース
５・・・・・・・・・固定接点
６・・・・・・・・・可動接点
６Ｃ・・・・・・・・接続端子部
７・・・・・・・・・防水シート
８・・・・・・・・・操作ツマミ
８Ａ・・・・・・・・軸受部
３０・・・・・・・・第１駆動体
３１・・・・・・・・軸部
３２・・・・・・・・作用部
３３・・・・・・・・被押圧部
３３Ａ・・・・・・・第１被押圧部
３３Ｂ・・・・・・・第２被押圧部
４０・・・・・・・・第２駆動体
４１・・・・・・・・押圧突起部
４２・・・・・・・・軸部
４３・・・・・・・・延出部
【図１】
0006563356.tif 000002
【図２】
0006563356.tif 000003
【図３】
0006563356.tif 000004
【図４】
0006563356.tif 000005
【図５】
0006563356.tif 000006
【図６】
0006563356.tif 000007
【図７】
0006563356.tif 000008